Podtech/llm-jp-corpus-v4-ja_patent huggingface dataset:
(57)【要約】　　　（修正有）【課題】パソコンを使わないローマ字入力の練習用具に関するものである。【解決手段】キーボード１より入力信号を取り込み、ローマ字情報をかな文字に変換し、ディスプレイ２に表示する文字情報変換表示装置３を開発する。文字情報変換表示装置３はローマ字以外に数字、記号等の入力信号も文字に変換しディスプレイ２に表示するほか、制御信号を解読し表示した文字の削除なども行う。文字情報変換表示装置３とキーボード１を接続ケーブル４で接続する。文字情報変換表示装置３の電源ケーブル５を１００Ｖ電源６に接続する。【選択図】図１
0003099854.tif 000002
【実用新案登録請求の範囲】
【請求項１】
（イ）キーボード（１）より入力信号を取り込み、ローマ字情報をかな文字に変換し、ディスプレイ（２）に表示する文字情報変換表示装置（３）を開発する。
文字情報変換表示装置（３）はローマ字以外に数字、記号等の入力信号も文字に変換しディスプレイ（２）に表示するほか、制御信号を解読し表示した文字の削除なども行う。
（ロ）文字情報変換表示装置（３）とキーボード（１）を接続ケーブル（４）で接続する。
（ハ）文字情報変換表示装置（３）の電源ケーブル（５）を１００Ｖ電源（６）に接続する。
以上の如く構成された、ローマ字入力の練習用具。
【請求項２】
文字情報変換表示装置（３）をキーボード（１）に組み込み、一体とした請求項１のローマ字入力の練習用具。
【考案の詳細な説明】
【技術分野】
【０００１】
この考案は、パソコンを使わずキーボードから入力したローマ字を装置上のディスプレイにかな文字で表示する、ローマ字入力の練習用具に関するものである。
【背景技術】
【０００２】
従来は、ローマ字入力の練習はパソコンを使用して行われ、パソコンを使わずにローマ字入力を練習する専用の用具はなかった。
このため、パソコンを学ぼうとする人が教室に通う前に事前にローマ字入力を自己学習することはできなかった。
また教室でローマ字入力を学ぶ際も、自宅にパソコンがない人は自宅で練習することができなかった。
その結果、教室でのパソコン学習の際にローマ字入力がネックとなり、パソコン学習の大きな阻害要因になっていた。
教室の受講生のアンケート調査によると、受講生の３人に1人は自宅で使えるパソコンを所有していない。
【考案の開示】
【考案が解決しようとする課題】
【０００３】
本考案は、これからパソコンを学ぼうとする人を対象に、パソコンの操作を知らなくてもまたパソコンが自宅になくても、実際のキーボードを使ってローマ字入力を練習することができる、専用の練習用具を開発しようとするものである。
【課題を解決するための手段】
【０００４】
いま、その構成を説明すると、
（イ）キーボード（１）より入力信号を取り込み、ローマ字情報をかな文字に変換し、ディスプレイ（２）に表示する文字情報変換表示装置（３）を開発する。
文字情報変換表示装置（３）はローマ字以外に数字、記号等の入力信号も文字に変換しディスプレイ（２）に表示するほか、制御信号を解読し表示した文字の削除なども行う。
（ロ）文字情報変換表示装置（３）とキーボード（１）を接続ケーブル（４）で接続する。
（ハ）文字情報変換表示装置（３）の電源ケーブル（５）を１００Ｖ電源（６）に接続する。
以上の構成からなる、ローマ字入力の練習用具である。
【考案の効果】
【０００５】
本練習用具を用い別に用意する練習問題に従ってローマ字入力の操作を繰り返すことで、ローマ字の綴りとＡからＺまでのアルファベットのキーの配置を覚えることができる。
本練習用具はパソコンを使わないため、パソコンの操作を知らない人でもローマ字入力の練習ができる。このためこれからパソコンを学ぼうとする人が、本練習用具を用い教室に通う前に事前にローマ字入力を学習することができる。
また教室に通っている人で自宅にパソコンがない人は、本練習用具を用い自宅でローマ字入力の練習をすることができる。このため教室でローマ字入力をスムーズに行えるようになる。
【考案を実施するための最良の形態】
【０００６】
本考案の実施の形態を述べると、
文字情報変換表示装置（３）とキーボード（１）を接続ケーブル（４）で接続する。
文字情報変換表示装置（３）の電源ケーブル（５）を１００Ｖ電源（６）に接続する。
ディスプレイ（２）の左端に文字入力位置を示すカーソルが表示される。
キーボード（１）のアルファベットのキーをおしてローマ字を入力する。
入力したローマ字がディスプレイ（２）にかな文字で表示される。
同時に入力に要した時間も表示される。
ディスプレイ（２）に表示された文字を確認し、間違えて入力したときはキーボード（１）のバックスペースキーをおして間違えた部分の文字を削除し、再度入力する。
正しく入力できたときはキーボード（１）のエスケープキーをおす。
ディスプレイ（２）に表示されている文字が消え、新しく入力できる状態になる。
練習が終わるまでこの操作を繰り返す。
練習が終了したら電源ケーブル（５）を１００Ｖ電源（６）からはずし、接続ケーブル（４）を文字情報変換表示装置（３）とキーボード（１）からはずす。
【図面の簡単な説明】
【０００７】
【図１】本考案の実施例
【図２】本考案の他の実施例
【符号の説明】
【０００８】
１　キーボード
２　ディスプレイ
３　文字情報変換表示装置
４　接続ケーブル
５　電源ケーブル
６　１００Ｖ電源
【図１】
0003099854.tif 000003
【図２】
0003099854.tif 000004
【手続補正書】
【提出日】平成15年9月19日(2003.9.19)
【手続補正１】
【補正対象書類名】実用新案登録請求の範囲
【補正対象項目名】請求項１
【補正方法】変更
【補正の内容】
【請求項１】
（イ）キーボード（１）よりローマ字信号、記号信号、数字信号、１文字削除信号、全文削除信号、入力終了信号の入力信号を取り込み、前記入力信号の種類を識別する入力信号識別手段と、前記入力信号がローマ字信号であったときは前記入力信号をかな文字に変換し、前記入力信号が記号信号であったときは前記入力信号を記号に変換し、前記入力信号が数字信号であったときは前記入力信号を数字に変換する信号変換手段と、前記信号変換手段によって変換された信号に対応する文字を表示する表示手段と、前記入力信号が１文字削除信号であったときは表示されている文字の最後の文字を消去する１文字消去手段と、前記入力信号が全文削除信号であったときは表示されている全ての文字を消去する全文消去手段と、前記入力信号が入力終了信号であったときは入力に要した時間を表示する時間表示手段とを備えた文字情報変換表示装置（３）。
（ロ）文字情報変換表示装置（３）とキーボード（１）を接続ケーブル（４）で接続する。
（ハ）文字情報変換表示装置（３）の電源ケーブル（５）を１００Ｖ電源（６）に接続する。
以上の如く構成された、ローマ字入力の練習用具。
(57)【要約】
【課題】市販の携帯飲料容器に本考案の冷却器を取り付けることで、簡単かつ効率的に飲料を冷却する。
【解決手段】本考案は冷却部本体１と市販の携帯飲料容器とを接合する接合部本体２で構成される。通気口２ｃが上になるように本冷却器を接合した飲料容器を傾けると、飲料は飲み口３ａから接合部２を経由し、さらに冷却部の１ａを経由して冷却された状態でコップ等に注がれる。接合部本体２には、飲料がスムーズに流れるように通気口２ｃと、通気口から飲料が漏れることを防ぐための遮断版２ｄを有する。接合部本体２の形状を変化させることで、多種多様な携帯飲料容器に適合することができる。
【選択図】　図１
0003099825.tif 000002
【実用新案登録請求の範囲】
【請求項１】
　保冷剤にパイプを通した冷却部と、本冷却部を缶飲料やペットボトル飲料といった携帯飲料の飲み口に接合するための接合部から構成され、本冷却部を経由して飲料を注ぐことにより飲料を冷却することを可能とする飲料冷却器。
【考案の詳細な説明】
【技術分野】
【０００１】　本考案は、保冷剤にパイプを通した冷却部と、本冷却部を缶飲料やペットボトル飲料などの飲み口に接合するための接合部から構成された、飲料冷却器に関するものである。
【背景技術】
【０００２】　従来の缶飲料やペットボトル飲料などの携帯飲料の飲料冷却器は、飲料の容器ごと冷却していた。
【考案の開示】
【考案が解決しようとする課題】
【０００３】　飲料の容器ごと冷却する冷却器は、冷却する飲料の容器よりも大きなサイズの筐体を必要とするため、多種多様な携帯飲料容器に対応しようとすると、冷却器の筐体も多様化する必要がある。また、容器全体を冷却するために使う保冷剤等も、容器の大きさに比例して大量に必要とするため、効率的ではない。従って、携帯飲料の飲み口に冷却器を取り付け、その冷却器を経由した分量だけの飲料を冷却することにより、前述の課題を解決しようとするものである。
【課題を解決するための手段】
【０００４】　本考案は、保冷剤に飲料の注ぎ口にもなるパイプを通した冷却部と、本冷却部を缶飲料やペットボトル飲料といった様々な携帯飲料容器の飲み口に接合することが可能な接合部から構成され、本冷却部を経由して飲料を注ぐことにより課題を解決している。
【考案の効果】
【０００５】　上述のように、本考案の飲料冷却器を経由して飲料を注ぐため、携帯飲料容器よりも大きな筐体を必要とせず、多様な携帯飲料容器にも前述の接合部の形状のみを変化させて適合できる。しかも、容器全体を冷却するための大量の保冷剤も必要としないため、簡単かつ効率的に飲料を冷却することができる。
【考案を実施するための最良の形態】
【０００６】　本考案の冷却部は、保冷剤にパイプを通したものである。この冷却部を経由して飲料が注がれるため、パイプの形状をらせん状等にして経路を長くすることにより、より冷却効果を得ることができる。また、本考案の接合部は、本冷却部と携帯飲料容器を接合するためのものである。この接合部は、冷却部に飲料がスムーズに流れるための通気口を有している。加えて、接合部の形状を変化させることで、多種多様な携帯飲料容器に適合することができる。
【実施例】
【０００７】　以下、添付図面に従って一実施例を説明する。本例は缶飲料を例に説明する。１は本考案の冷却部本体であり、プラスチックス等適宜素材の容器に入った保冷剤１ａと、１ａの中をらせん状に通らせた熱伝導効率の高い金属製のパイプ１ｂで構成する。【０００８】　２はプラスチックス等適宜素材にて形成された本考案の接合部本体で、前述の冷却部と接合するための凹凸２ａと、缶飲料と接合するための凹凸２ｂを有する。例えば、この凹凸２ａは前述の冷却部に凹がある場合、２ａは凸となり冷却部と密に接合する。また凹凸２ｂは市販の缶飲料上部に密接するよう大きさを考慮している。また、本接合本体には、飲料がスムーズに流れるように通気口２ｃと、通気口から飲料が漏れることを防ぐための遮断版２ｄを有する。【０００９】　３は市販の缶飲料であり、前述の全てを接合したものが４である。通気口２ｃが上になるように４を傾けると、缶飲料は飲み口３ａから接合部２を経由し、さらに冷却部の１ａを経由して冷却された状態でコップ等に注がれる。【００１０】　５は市販のペットボトル飲料等の飲み口に適合するように、接合部２を変化させた実施例である。前述の接合部２と同様、前述の冷却部と接合するための凹凸５ａと、ペットボトル飲料等と接合するための凹凸５ｂ、および通気口５ｃを有する。通気口５ｃの形状を鍵状に変化させることで、通気口から飲料が漏れることを防ぐことも可能である。
【図面の簡単な説明】
【００１１】
【図１】本考案の飲料冷却器の一実施例を示す斜視図である。
【図２】本飲料冷却器を構成する要素を接合した斜視図である。
【図３】本飲料冷却器の別の一実施例を示す斜視図である。
【符号の説明】
【００１２】１　冷却部本体
２　接合部本体
３　市販の缶飲料
４　上記１，２，３を接合した状態
５　接合部本体をペットボトル飲料等に適合させた状態
【図１】
0003099825.tif 000003
【図２】
0003099825.tif 000004
【図３】
0003099825.tif 000005
(57)【要約】
【課題】　抗菌作用及び消臭作用を有するカテキンを用いた、加工容易かつ従来の履物のサイズと異ならないサンダル・靴等の履物を得る。
【解決手段】　履物の中敷き裏面に抗菌作用及び消臭作用を有するカテキンを含有する液体を吹き付けて、カテキンを中敷き裏面に浸透させ、このカテキンが浸透した中敷き裏面を履物底に接着する。
【選択図】　なし【実用新案登録請求の範囲】
【請求項１】
　カテキンを含んだ液体を用いて裏面にカテキンを浸透させた中敷きを有することを特徴とするサンダル・靴等の履物。
【考案の詳細な説明】
【考案の詳細な説明】
【技術分野】
【０００１】　本考案は、カテキンを用いた抗菌作用及び消臭作用を有するサンダル・靴等の履物に関するものである。
【背景技術】
【０００２】　従来、履物の中敷きにカテキンを用いたものとしては、実用新案登録第３０９２０９５号（実願２００２−４１０９）があり、カテキンを含む緑茶の粉末を不織布の袋に入れて上下を吸収紙ではさみ、表面側を不織布で覆うと共に底面側をポリエチレンフィルムに接着して、接着テープで履物に固定する使い捨て抗菌消臭履物の中敷きが開示されている。
【考案が解決しようとする課題】
【０００３】　しかし、上記考案は６層構造を有しているため、加工に手間がかかり、また構造上一定程度の厚みが必要となるため、元の履物のサイズにある程度の余裕がないと、装着時に足が圧迫されるという難点がある。
【課題を解決するための手段】
【０００４】　本考案は、これら従来技術の持つ問題点を解消するためになされたものであり、その構成として、カテキンを含んだ液体を用いて裏面にカテキンを浸透させた中敷を備えたサンダル・靴等の履物を提供するものである。
【考案を実施するための最良の形態】
【０００６】　考案の実施の形態を実施例にもとづいて図面を参照して説明する。
　図１は本考案実施例であるサンダル全体の斜視図を示したものであり、図２はこのサンダルの中敷き裏面を示したものである。【０００７】　図１のサンダルは、靴底１、中敷き２及びベルト３で構成されており、それぞれ接着剤等の通常の容易な方法で接着されている。
　図２は中敷き３の裏面であり、図２の斜線部で示した裏面全体に液体に溶かしたカテキンを吹き付け、カテキンを浸透させる。この中敷き２のカテキンを浸透させた裏面が、靴底１に接着される。
【考案の効果】
【０００８】　本考案に係るサンダル・靴等の履物は、中敷き裏面に抗菌作用及び消臭作用を有するカテキンを浸透させているため、水虫の原因となる白癬菌なども滅菌され水虫防止に役立つ。また、種々の病原菌が存在する病院で使用すればカテキンの抗菌作用により院内感染の防止にも役立つ。さらに、カテキンの消臭作用により、履物や履物を脱いだときの足から臭気が生じることを抑制することができる。
　本考案に係るサンダル・靴等の履物は、中敷きの裏面にカテキンを含む液体を吹き付けてカテキンを含浸させるものであり、優れた加工容易性を有する。
　本校案に係るサンダル・靴等の履物は、従来の中敷きのサイズの変更を伴わず、装着時に通常の履物以上に圧迫感を感じるということがない。
【図面の簡単な説明】
【図１】本考案の一実施例であるサンダル全体を示す斜視図。
【図２】本考案の一実施例である中敷きの裏面を示す側面図。
【符号の説明】
１　靴底
２　中敷き
３　ベルト
【図１】
0003099826.tif 000002
【図２】
0003099826.tif 000003
(57)【要約】　　　（修正有）【課題】衣料用上着の両肩部分を肩パットを出し入れ簡易にする。【解決手段】衣料用上着の肩部分を袋状にして磁石付肩パット及び肩パットを出し入れできる様に袋状にした。【選択図】図１
0003099840.tif 000002
【実用新案登録請求の範囲】
【請求項１】
衣料用上着の両肩部分を袋状にして磁石付肩パット及び肩パットを出し入れ容易にするものである。
【考案の詳細な説明】
【０００１】衣料用上着の両肩部分に袋状のものを作る事によって容易に磁石付肩パット及び肩パットの出し入れを出来るようにしたものである。
【考案が解決しようとする課題】
【０００２】従来衣料用の磁石付肩パット及び肩パットは着脱可能な部材を使用しなければならなかったのを容易にする為のもの
【課題を解決するための手段】
【０００３】衣料用上着の肩部分に磁石付肩パット及び肩パットを出し入れできる様に袋状にした。
【考案の効果】
【０００４】この様にすれば磁石付肩パット及び肩パットになんら着脱可能な部材を着ける事なく出し入れが容易になるものである。
【図面の簡単な説明】
【図１】平面図（肩パット着脱袋状部分）
【図２】平面図（磁石付肩パット）
【図３】側面図（磁石付肩パット）
【図４】正面図（衣料用上着）
【図５】側面図（衣料用上着）
【図６】平面図（衣料用上着）
【図１】
0003099840.tif 000003
【図２】
0003099840.tif 000004
【図３】
0003099840.tif 000005
【図４】
0003099840.tif 000006
【図５】
0003099840.tif 000007
【図６】
0003099840.tif 000008
【手続補正書】
【提出日】平成15年8月28日(2003.8.28)
【手続補正１】
【補正対象書類名】明細書
【補正対象項目名】実用新案登録請求の範囲
【補正方法】変更
【補正の内容】
【実用新案登録請求の範囲】
【請求項１】
衣料用の両肩部分を袋状にして磁石付肩パット及び肩パットを出し入れ容易にすることを特徴とする上着
(57)【要約】　　　（修正有）【課題】小型部品加工用パレット自動交換方式５軸マシニングセンターで大型ワクの加工を可能とする。【解決手段】パレットテーブル６、７と大型テーブルを置き換え、パレット搬送に用いたＸ、Ｙ軸を用いて大型部品を加工する。【選択図】図１
0003099831.tif 000002
【実用新案登録請求の範囲】
【請求項１】
５軸マシニングセンターによる大物部品加工をパレットテーブル（６）（７）と大型テーブルを入れ替えることにより可能とする大型テーブル設置対応マシニングセンター。
【考案の詳細な説明】
【０００１】
【考案の属する技術分野】
本考案は工作機械に関するものである。
【０００２】
【従来の技術】
従来の自動パレット交換方式５軸マシニングセンターにおいては加工できる加工物はパレットテーブルの大きさによって制限されている。
【０００３】
【考案が解決しようとする課題】
パレットチェンジャー付５軸マシニングセンターにおいては、加工物の大きさはパレットの大きさやパレットの許容荷重によって制限されている。　しかしいつも適正な加工物とは限らず機械を効率的に使用するためには大型ワークの加工が出来ることが望ましい。　本考案はこれらの問題を解決することを課題としている。
【０００４】
【課題を解決するための手段】
上記の問題を解決するために本考案ではパレットテーブルと大型テーブルを置き換えることで問題を解決している。
【０００５】
【考案の実施の形態】
実施例について図面を参照に説明すると図１にて、スピンドルヘッド（１）はサドル（２）にガイド支持されＺ軸移動し、サドル（２）はクロスレール（３）にガイド支持されＸ軸移動し、クロスレール（３）はベース（４）にガイド支持されＹ軸移動を行う。　パレットテーブル（６）は交換アーム（８）によってＸ、Ｙ、Ｚ各軸によってパレットテーブル（７）と交換される。　その為、Ｘ、Ｙ軸はパレット交換の為パレット上の加工物を加工するに必要なストローク以上にパレットを運搬するためのストロークを有している。　図２ではパレットテーブル（６）（７）と大型テーブル（１０）を置き換えてある状態を示している。
【０００６】
【考案の効果】
上述のようにパレットテーブル（６）（７）と大型テーブル（１０）を置き換えることにより加工物を取り付ける大きなスペースを確保することが出来る。　又、パレットテーブル搬送に用いられたＸ、Ｙ軸ストロークが加工の移動軸として利用され大物加工物の加工に対応が可能となる。
【図面の簡単な説明】
【図１】パレット自動交換方式５軸マシニングセンター概要図
【図２】大物加工物対応に変軸したマシニングセンター概要図
【符号の説明】
１　スピンドルヘッド
２　サドル
３　クロスレール
４　ベース
５　トラニオン
６　パレットテーブル
７　パレットテーブル
８　パレット交換アーム
９　パレットベース
１０　大型テーブル
【図１】
0003099831.tif 000003
【図２】
0003099831.tif 000004
【手続補正書】
【提出日】平成15年5月1日(2003.5.1)
【手続補正１】
【補正対象書類名】明細書
【補正対象項目名】実用新案登録請求の範囲
【補正方法】変更
【補正の内容】
【実用新案登録請求の範囲】
【請求項１】
パレットテーブル交換装置付きマシニングセンターにおいては２枚のパレットテーブル（６）（７）を用いて交互に加工を行う。　その為、テーブル（６）にて加工が完了した場合、テーブル（６）をパレットベース（９）に運び、次にパレットテーブル（７）を加工位置に運んで加工を開始する。この場合加工物の大きさはＸ、Ｙ、Ｚ、各軸の移動距離とテーブルの大きさによって制限される。　さらに大きな加工物を加工する為に本来の加工位置からパレットベース（９）にまたがる大型テーブル（１０）を用意し、２枚のパレットテーブル（６）（７）と入れ替え、大型テーブル上の加工物を加工可能とするようＹ軸ストロークを延長する事により、機械全体の大きさを変えることなく大物部品加工を可能とする大型テーブル設置対応マシニングセンター。
【手続補正書】
【提出日】平成15年9月1日(2003.9.1)
【手続補正１】
【補正対象書類名】明細書
【補正対象項目名】実用新案登録請求の範囲
【補正方法】変更
【補正の内容】
【実用新案登録請求の範囲】
【請求項１】
パレットテーブル交換装置付きマシニングセンターにおいて、パレットテーブル上に取り付け可能な大きさの加工物以上の大きさの加工物を加工するために、パレットテーブル（６）とパレットベース（９）の位置にまたがる大型テーブルを用意し、大型テーブル上の加工物を加工可能とするＹ軸ストロークを延長したマシニングセンター。
(57)【要約】　　　（修正有）【課題】現在地時刻やサマータイム実施時の時刻を容易に確認出来る。【解決手段】粘着透明シールの表面に時計の文字盤を設け、同シールの裏面には、繰り返し張ったり剥がしたり出来る粘着層にすることで、海外旅行時等に持参する時計の風防表面に容易に接着あるいは接着位置を変えることにより、本国の時刻はそのままに、現在地時刻の時計に素早く変身さすことができるようにした変針シールである。【選択図】図１
0003099839.tif 000002
【実用新案登録請求の範囲】
【請求項１】
（１）粘着透明シール１の表面に時計の文字盤を設ける。
（２）粘着透明シール１の裏面は繰り返し張ったり剥がしたりできる粘着層とする。
（３）文字盤はその使用時に現在地時刻が分かるような、数字や文字・印等のインデックスで対応し、使用者の選択に対応できるようにする。
（４）時計の風防部に現在地の時刻が簡単に分かるよう、新たな文字盤を自由に付着しワールドタイムウォッチ（世界時計）に変身さす変針シール。
【請求項２】
粘着透明シール１の表面に時計の文字盤を設け、自由に時計の風防に貼り付け出来るようにした変針シールで、この文字盤をさらに色々取り混ぜた数次式シールで構成された請求項１の変針シール。
【考案の詳細な説明】
【０００１】
【産業上の利用分野】
この考案は、海外旅行時等に持参する時計の風防に貼り付けて、現在地時刻やサマータイム実施時の時刻を容易に確認出来るようにした、変針シールに関するものである。
【０００２】
【従来の技術】
海外旅行時等においては、持参した時計の時刻をその現在地の時刻にいちいち合わせたり、現在地の時刻に合わせない時計では、従前時間から、足したり引いたりしてその現在地の時刻を確認している。また、高価なワールドタイム機能付の時計を新たに準備してそれに備えている者もいる。
しかし、ワールドタイム機能付の時計では時計の大きさや構成上代表的な都市名しか記載されてなく、現在地の共通時間帯にあるその代表都市名を覚えておく必要がある。
また、その代表都市名の表示が小さく読み辛いことも拭えない。
【０００３】
【考案が解決しようとする課題】
この面倒な現在地時刻への時計合わせや足し算・引き算、また、新たな時計への出費を無くすべく考案したものが、本変針シールである。
【０００４】
【課題を解決するための手段】
いま、その構成を説明すると、
（１）粘着透明シール１の表面に時計の文字盤を設ける。
（２）粘着透明シール１の裏面は繰り返し張ったり剥がしたりできる粘着層とする。
（３）文字盤はその使用時に現在地時刻が分かるような、数字や文字・印等のインデックスで対応し、使用者の選択に対応できるようにする
（４）時計の風防部に現在地の時刻が簡単に分かるよう、新たな文字盤を自由に付着しワールドタイムウォッチ（世界時計）に変身さす変針シール。
【０００５】
【作用】
以上のように装置すると、現在地において使用する時計の風防に本変針シールを現在地の時刻に合わせて付着するだけで、たちまちワールドタイムウォッチ（世界時計）に早代わりし、持参した時計の面倒な現在地時間への時刻合わせや足し算・引き算、また、新たな時計への出費を無くすことができるのである。
【０００６】
【実施例】
なお、前述のとおり、繰り返し張ったり剥がしたりできる粘着層にすることで、たとえば、数カ国にわたる旅行時において、簡単に本シールの接着位置を変えることが出来るため、即時対応が可能となる。また、文字盤のインデックスの変化を楽しむことが出来るのも大きなポイントである。
【０００７】
【考案の効果】
よって、現在地の時刻への即時性に加え、面倒な現在地時間への時刻合わせや足し算・引き算、また、新たな時計への出費からの開放等々利点が多大であるのが本考案の変針シールである。
【図面の簡単な説明】
【図１】本考案の構成図
【図２】本考案の平面図
【図３】本考案の実施例図
【符号の説明】
１は粘着透明シール
２は１の上に記される文字盤
３は文字盤のインデックスを変化させた実施例
４は数次式にした時の実施例
【図１】
0003099839.tif 000003
【図２】
0003099839.tif 000004
【図３】
0003099839.tif 000005
【手続補正書】
【提出日】平成15年9月6日(2003.9.6)
【手続補正１】
【補正対象書類名】明細書
【補正対象項目名】請求項１
【補正方法】変更
【補正の内容】
【請求項１】
「（１）粘着透明シール１の表面に時計の文字盤を設ける。
（２）粘着透明シール１の裏面は繰り返し張ったり剥がしたりできる粘着層とする。
（３）文字盤はその使用時に現在地時刻が分かるような、数字や文字・印等のインデックスで対応し、使用者の選択に対応できるようにする。
（４）時計の風防部に現在地の時刻が簡単に分かるよう、新たな文字盤を自由に付着しワールドタイムウォッチ（世界時計）に変身さす。
以上からなる変針シール。」
(57)【要約】　　　（修正有）【課題】お札の置く場所を選ばず、多種多様のお札を保護し汚さずに清潔を保ちつつ用いる事ができるお札スタンドを提供する。【解決手段】二枚のプラスチックスの型抜きした台紙を組み合わせ、透明クリア保護板を外部に差し込むことによりお札を保護し、立て掛けも壁掛ける事もできる組立て式お札入れ用具である。【選択図】図４
0003099837.tif 000002
【実用新案登録請求の範囲】
【請求項１】
プラスチック台紙本体に透明カバーを設け、裏面に専用金属製ビスで止め、立て掛ける事ができる様にした。手軽で綺麗にをまつれる事を特徴とする用具である。
【考案の詳細な説明】
【０００１】
【考案の属する技術分野】
本考案は、お札の大きさに合ったプラスチックス製型抜き台紙に、透明カバーを設けたお札スタンドに関するものである。
【０００２】
【従来の技術】
持ち帰ったお札をはだかのままの状態で保管する事しかなかった。
【０００３】
【考案が解決しょうとする課題】
お札を、お寺もしくは神社からいただいてきても、昨今の住宅事情では、仏壇、神棚を設置する場所が無く、困難な時代になってきている。仏壇仏具の側に立て掛けたり、ピンで壁に張り付けたりテープで止めたりなど粗末な取り扱いになつてしまう事が大勢である。消費者のライフスタイルの変化や洋風化住宅の増加等により調和する仏壇、神棚、社に変るお札入れ用具です。清潔に保つ事が出来る様に解決しようとするものである。
【０００４】
【課題を解決する為の手段】
本考案の用具は、２枚の内、１枚を型抜した二枚のプラスチックスの台紙を組み合わせた。
お札の保護の為、透明クリア保護板を外部に差し込むことにより問題解決をした。
専用ビスで止め、立て掛ける事も吊り下げることもできるできるようにしたものである。
【０００５】
【考案の実施の形態】
どのような形のお札にも合うプラスチックス台紙を容易に作成する事ができる。しかも透明のカバーがお札を保護するのでいつまでも汚れる事なくお札を保管する事が出来る。
【考案の効果】
上述のようにお札を汚れから守り、収納する事ができる。しかも場所を選ばずに容易に立て掛ける事も壁掛け、する事もできる。信仰心のある人々に役立つ。
【図面の簡単な説明】
【図１】『お札スタンド透明カバーを示した平面図である。』
『お札スタンド透明カバーを上から示した図面である。』
【図２】『お札スタンド型抜プラスチックス製台紙を示した平面図である。』
『お札スタンド型抜プラスチックス製台紙を示した側面図である。』
【図３】『お札スタンド支えを示した平面図である。』
『お札スタンド支えを示した側面図である。』
【図４】『お札スタンド透明カバーにお札スタンド型抜プラスチックス製台紙にを差し込み、お札スタンド支えを専用ネジで取り付けた様子を、背後から示した平面組立図である。』
『お札スタンド透明カバーにお札スタンド型抜プラスチックス製台紙にを差し込み、お札スタンド支えを専用ネジで取り付けた様子を上から示した組立図である。』
【図５】『お札スタンド透明カバーにお札スタンド型抜プラスチックス製台紙にを差し込み、お札スタンド支えを専用ネジで取り付けた様子を側面から示した組立図である。』
【図１】
0003099837.tif 000003
【図２】
0003099837.tif 000004
【図３】
0003099837.tif 000005
【図４】
0003099837.tif 000006
【図５】
0003099837.tif 000007
【手続補正書】
【提出日】平成15年9月2日(2003.9.2)
【手続補正１】
【補正対象書類名】明細書
【補正対象項目名】実用新案登録請求の範囲
【補正方法】変更
【補正の内容】
【実用新案登録請求の範囲】
【請求項１】
「プラスチックス台紙本体にとうめいカバーを設け、プラスチックス台紙本体の裏面にお札スタンドささえを専用金属製ビスで取り付けたお札スタンド」
(57)【要約】　　　（修正有）【課題】人や車両が衝突しても怪我をしたり、破壊したりすることのない安全性の高い車止を提供する。【解決手段】火力発電所等の石炭運搬等に使用されるコンベアーベルト用ベルト又は使用済ベルトを、駐車場等の所定の位置に置かれた金属板５を挟むようにして、ゴム製ベルト１の両下端部分を設置する。ついでＬ型止め金２、２とでゴム製ベルト１の下端部を挟みボルト３及びナット４で固定する。次に、Ｌ型止め金２の穴６を利用してボルトで駐車場等のコンクリート等の地面に固定し車止めとして使用する。【選択図】図１
0003099835.tif 000002
【実用新案登録請求の範囲】
【請求項１】
火力発電所等の石炭運搬等に使用されるコンベアーベルト用ベルトを、駐車場等の車止めとして使用することを特徴とするゴム製車止め。
【請求項２】
火力発電所等の石炭運搬等に使用されるコンベアーベルト用の使用済ベルトを、駐車場等の車止めとして使用することを特徴とするゴム製車止め。
【考案の詳細な説明】
【０００１】
【考案の属する技術分野】
本考案は、火力発電所等で石炭運搬等に使用されるコンベアーベルト用の使用済ベルトを、車止めに適用して、人や車両が衝突しても怪我をしたり、破壊したりすることのない安全性の高い車止に関するものである。
【０００２】
【従来の技術】
従来の車止めの材質は、屋外に設置されること、耐久性の点ですぐれていること、比較的低価格であることなどのため、コンクリート、鉄製等が多用されている。
【０００３】
一方、石炭専焼火力発電所では、原料石炭の輸送に幅１，０００ｍｍ〜２，０００ｍｍのゴム製コンベアーベルトが多量に使用され、その結果使用済で老朽化したコンベアーベルトが多量に排出されて産廃処理されている。
【０００４】
【考案が解決しようとする課題】
従来のようなコンクリート、鉄製等の車止めは、人や車両が衝突したときのショックが大きく、人が怪我をしたり、車両が破損するばかりでなく、破壊された車止めの復元が面倒であるという問題点があった。
【０００５】
一方、火力発電所から排出される多量の老朽化（使用済）コンベアーベルトは、一部室内作業場等の床材（作業者の足場の保護）や貨物トラックマット（荷積み降ろしの衝撃防止）等といった少量の有効利用は行っているものの、その大部分は廃棄物として処分が必要であり、その処分のために非常なコストを要していた。
そこで、考案者は、以前使用済コンベアーベルトを、道路の法面のカバーとして使用することを試み、良好な結果を得たので、その実用新案登録願を出願した。
【０００６】
【問題を解決するための手段】
本考案は、石炭専焼火力発電所から排出される多量の使用済コンベアーベルトの更なる有効活用を図るためのものであり、本考案の第一考案は、火力発電所等の石炭運搬等に使用されるコンベアーベルト用ベルトを、駐車場等の車止めとして使用するゴム製車止めである。
【０００７】
更に、本考案の第二考案は、火力発電所等の石炭運搬等に使用されるコンベアーベルト用の使用済ベルトを、駐車場等の車止めとして使用するゴム製車止めである。
【０００８】
【実施例】
本考案の一実施例（以下、実施例という。）を、図１乃至図３に示す。
図１は実施例の正面図、図２はその側面図、図３はその平面図である。
図１乃至図３において、１は断面が反Ｕ字型に曲げられたゴム製ベルトで、このゴム製ベルトは火力発電所等の石炭運搬等に使用されるコンベアーベルト用ベルトを用いる。なお、本考案の第二考案に係る例として火力発電所等の石炭運搬等に使用されるコンベアーベルト用の使用済ベルトを用いても良い。２はゴム製ベルト１の両下端部分をボルト３及びナット４で固定する止め金であり、止め金２はＬ型アングルである。５は駐車場のコンクリート等の地面上に設置しゴム製ベルト１の両下端間隔を確定する金属板、６はＬ型止め金２ａを駐車場のコンクリート等の地面上に図示省略のボルト等で固定する為の穴である。
【０００９】
このように構成された実施例において、駐車場等の所定の位置に置かれた金属板５を挟むようにして、ゴム製ベルト１の両下端部分を設置する。ついでＬ型止め金２、２とでゴム製ベルト１の下端部を挟みボルト３及びナット４で固定する。次に、Ｌ型止め金２の穴６を利用して図示省略のボルトで駐車場等のコンクリート等の地面に固定する。
【００１０】
【考案の効果】
本考案は、火力発電所等で石炭運搬等に使用されるコンベアーベルト用ベルト又は使用済ベルトを、駐車場等の車止めとして使用するので、次の効果が得られる。
▲１▼　ゴム製車止めであるので、人や物が衝突してもコンクリート等に比べてショックが小さく、怪我、打撲、物の破損等が殆どない。
▲２▼　火力発電所等で石炭運搬等に使用されるコンベアーベルト用ベトには、剛性を持たせる為に、ベルトの厚み方向中心部に鋼製ワイヤが埋め込まれており車の衝突のショックをやわらげるとともに、車止めが破壊されにくい。
▲３▼　ゴム製ベルト部に多少のひび等が生じても接着材を用いて張りつけることが出来ので、コンクリートや硬質プラスチックに比べ容易に復元することが出来る。
▲４▼　火力発電所から排出される多量の老朽化廃ベルトを有効活用出来る。
▲５▼　火力発電所から排出される多量の老朽化廃ベルトを、焼却処分する必要がないので公害発生を防止出来る。
【図面の簡単な説明】
【図１】図１は本考案に係る実施例の正面図である。
【図２】図２は本考案に係る実施例の側面図である。
【図３】図３は本考案に係る実施例の平面図である。
【符号の説明】
１・・・ゴム製ベルト
２・・・Ｌ型止め金
３・・・ボルト
４・．・ナット
５・・・金属板
６・・・穴
【図１】
0003099835.tif 000003
【図２】
0003099835.tif 000004
【図３】
0003099835.tif 000005
【手続補正書】
【提出日】平成15年9月1日(2003.9.1)
【手続補正１】
【補正対象書類名】明細書
【補正対象項目名】考案者
【補正方法】変更
【補正の内容】
【手続補正２】
【補正対象書類名】明細書
【補正対象項目名】実用新案登録請求の範囲
【補正方法】変更
【補正の内容】
【実用新案登録請求の範囲】
【請求項１】
火力発電所等の石炭運搬等に使用されるコンベアーベルト用ベルトを，∩型に曲げ，両下端部に留め金を取り付け，同留め金を駐車場等の地面に固定することを特徴とするゴム製車止め
【請求項２】
火力発電所等の石炭運搬等に使用されるコンベアーベルト用の使用済みベルトを，∩型に曲げ，両下端部に留め金を取り付け，同留め金を駐車場等の地面に固定することを特徴とするゴム製車止め
(57)【要約】【課題】目標物の有無に拘りなく正しいアドレスと、正確なボールの打ち出し方向を掴むこと。【解決手段】眼鏡レンズ２の面に、ボールとカップ等の目標物に向けられる細い直線３を水平な向きに描いて、この直線３をボールと目標物に結びつけるようにして立つことにより正しいアドレスと正確な打球の方向性を得ることができるようにしたもの。【選択図】　　　　図１
0003099890.tif 000002
【実用新案登録請求の範囲】
【請求項１】
眼鏡レンズの面に、打球ラインを予測する細い直線を水平方向に描いたことを特徴とするゴルフ用の眼鏡。
【請求項２】
上記細い直線をスリットとして形成したことを特徴とする請求項１記載のゴルフ用の眼鏡。
【請求項３】
眼鏡レンズに添着離間が可能なガラスを眼鏡枠に装着するとともに、該ガラスの面に、打球動ラインを予測する細い直線を水平方向に描いたことを特徴とするゴルフ用の眼鏡。
【考案の詳細な説明】
【０００１】
【産業上の利用分野】
本考案は、パッティングに好適なゴルフ用の眼鏡に関する。
【０００２】
【従来の技術】
パッティングの練習には、通常、カップに向けて直線を引いたマットが用いられ、一端に置いたボールを直線を基準としてアドレスしつつ打ち出すことにより、ボールをカップに導くようにしている。
【０００３】
しかしながら実際のグリーンには直線が引かれていない関係上、ボールの直前になにかの目印を見つけて、これとボールとを結んだ線を基準としてアドレスして打ち出すように指導されるが、アマチュアにはこの目印が見つけ難いことと、目印とボールとの間隔が狭いことなどから、ボールをカップに導くのにかなりの困難を感じている。
【０００４】
【本考案が解決しようとする課題】
本考案はこのような問題に鑑みてなされたもので、その技術的課題としては、目標物の有無に拘りなく正しいアドレスによりボールを正確に打ち出すことのできるあらたなゴルフ用の眼鏡を提供することにある。
【０００５】
【課題を解決するための手段】
すなわち、本考案はかかる問題を解決する技術として、眼鏡レンズの面に、ボールの転動ラインを予測する細い直線を水平方向に描いたものである。
【０００６】
【実施例１】
そこで以下に本考案の実施例について説明する。
図１は本考案の一実施例を示したものである。
【０００７】
図１、２において符号２は、眼鏡枠１に取付けた左右のレンズで、これらの面には、装着した状態のもとで眼球の近くに１本か２本の細い直線３が着色剤を用いて水平な向きに描かれていて、パッティングの際のアドレスの基準とボールのラインを知り得るように、つまり、右ききの人の場合には、右の眼鏡レンズ２の細い直線３上にボールを位置させながら左端近傍に目標物であるカップを位置させるようにして立ち、正しいアドレスとボールの転動方向を知るように構成されている。
【０００８】
したがって、この細い直線３は、通常の状態、つまり、焦点を無限遠においた状態では見ることができず、近いところに焦点を合わせたときにのみ見えるようにして、スリットの中に埋め込んだ顔料を直接見るか、若しくはスリットからの反射光を読取ることができるように構成されている。
【０００９】
このように構成された眼鏡を装着して、右ききの人の場合には一方の眼鏡レンズ２の直線３上にボールを位置させながら左の眼鏡レンズ２の左端にカップを位置させるようにして立つと正しいアドレスが確保され、同時に、打ち出すべきボールの向きをパターの振り方向に合かわせることができるから、そのままパターをもってボールを打てばボールは容易にカップに導くことができ、また、グリーンが前下がりに傾斜してスライスラインを描くように見えるときは、カップを直線３の上に位置させる様にセットして打つようにすればよいことになる。
【００１０】
図３は本考案の第２の実施例を示したもので、特にレンズ２の面に描いた直線３が気になる人に好適なものである。
【００１１】
この図において符号４で示したものは、通常の眼鏡レンズ２に沿わせた位置と直角に離した位置とに保持させることができるように眼鏡枠６の上縁に二安定的に装着してなる無色若しくは有色のガラスで、このガラス４の面には上述したと同様の細い直線３が水平な向きに描かれている。
【００１２】
この実施例は、眼鏡レンズ２に上述した色附きのガラス４を重ねることによって目の弱い人にはサングラスとして使用することができるように、またルールの厳しい団体等で競技するような場合ではこの補助の直線３を見えにくくする働きをも有するが、このガラス４を倒伏させることによって、ティショット等の他の打法もしくは通常使用の際にも適用することができる。
【００１３】
【考案の効果】
以上述べたように本考案によれば、眼鏡レンズの面に打球方向の細い直線を水平方向に設けるようにしたので、パッティングに際しては、この直線をボールとカップとを結びつけるように立つことにより正しいアドレスを自然に作り出すことができると同時に、直線を基準としたカップまでのラインを知ってボールをカップへ正確に導くことができる。
【００１４】
しかも、眼鏡レンズの面に描く直線を細くしたので、無限遠に視点を結ばせた通常の使用状態の下ではこの直線はじゃまにならず、パッティングやショットの際のようにボールに神経を集中させた場合にのみこの直線を意識させて、正しいアドレスと打球の正確な方向性をつかむことができる。
【図面の簡単な説明】
【図１】本考案の一実施例を示す眼鏡の斜視図である。
【図２】同上装置における眼鏡レンズの平面図である。
【図３】本考案の他の実施例を示す眼鏡の側面図である。
【符号の説明】
１　　眼鏡枠
２　　眼鏡レンズ
３　　細い直線
４　　ガラス
【図１】
0003099890.tif 000003
【図２】
0003099890.tif 000004
【図３】
0003099890.tif 000005
(57)【要約】　　　（修正有）【課題】屋外から施錠可能なドアガードを、ドアに穴を開けずに設置することができ、錠付でないため低価格にすることができるようにする。【解決手段】ドアガードの掛け金具１に先端突起挿入部２を設けることによって、屋外からでも突起４を掛け金具１に掛けられるようにした。施錠は、突起４が先端突起挿入部２に挿入され、突起４が長孔６に移動した後、先端突起挿入部２に南京錠７が施錠されることで実施される。開錠は、南京錠７が開錠された後、突起４が先端突起挿入部２に移動し、突起４が先端突起挿入部２から押出されることで実施される。【選択図】　図１
0003099887.tif 000002
【実用新案登録請求の範囲】
【請求項１】
掛け金具１に先端突起挿入部２を設けることを特徴とするドアガード。
【考案の詳細な説明】
【技術分野】
【０００１】本考案は、屋外から施錠可能なドアガードに関する考案である。
【背景技術】
【０００２】従来の屋外から施錠可能なドアガードには、錠付ドアガードがある。（特許文献１参照）
【特許文献１】特許公開２００２−２２７４８５号公報
【考案の開示】
【考案が解決しようとする課題】
【０００３】従来の屋外から施錠可能なドアガードには、ドアに穴を開けて設置する、錠付であるため高価格である、という問題点があった。
【課題を解決するための手段】
【０００４】屋外からでも突起４を掛け金具１に掛けられるように、ドアガードの掛け金具１に先端突起挿入部２を設ける。
【考案の効果】
【０００５】本考案により屋外から施錠可能なドアガードを、ドアに穴を開けずに設置することができる、錠付でないため低価格にすることができる。
【考案を実施するための最良の形態】
【０００６】本考案のドアガードの構成について図面を参照しながら説明する。図１は、本考案のドアガードの一構成例を示した図である。本考案のドアガードは、掛け金具１に先端突起挿入部２を設けることを特徴とする。【０００７】本考案のドアガードの施錠および開錠の実施方法について図面を参照しながら説明する。施錠は、突起４が先端突起挿入部２に挿入され、突起４が長孔６に移動した後、先端突起挿入部２に南京錠７が施錠されることで実施される。図２は、本考案のドアガードの施錠状態の一実施例を示した図である。開錠は、南京錠７が開錠された後、突起４が先端突起挿入部２に移動し、突起４が先端突起挿入部２から押出されることで実施される。
【図面の簡単な説明】
【０００８】
【図１】本考案のドアガードの一構成例を示した図である。
【図２】本考案のドアガードの施錠状態の一実施例を示した図である。
【図３】従来のドアガードの一構成例を示した図である。
【符号の説明】
【０００９】１　掛け金具
２　先端突起挿入部
３　根元突起挿入部
４　突起
５　突起支持軸
６　長孔
７　南京錠
【図１】
0003099887.tif 000003
【図２】
0003099887.tif 000004
【図３】
0003099887.tif 000005
(57)【要約】　　　（修正有）【課題】車が多く通る道路の空気中塵埃は現在放置されているが、この塵埃をできるだけ除去する装置を提供する。【解決手段】（１）フレーム１に支柱で固定されたファン３をモーターで回転させ、空気（排出塵埃を含む）を水シャワーパイプ６から噴出する水シャワーで洗浄し、空気（浄化したもの）として放出する。（２）水シャワーは排水とゆ８で貯水槽９へ流し、水ポンプ１０で水配管１１、水分配器１２を経て水シャワーパイプ６へ送り、水シャワーとして循環させる。（１）（２）を特徴とする。【選択図】図１
0003099888.tif 000002
【実用新案登録請求の範囲】
【請求項１】
　扇風機の後方に水シャワーを設け、扇風機で送られた空気中の塵埃を水シャワーに吸収させて取り除くことを特徴とする、道路の空気中塵埃除去装置。
【考案の詳細な説明】
【考案の詳細な説明】
　［考案の属する技術分野］
【０００１】この考案は、車が通る道路の空気中塵埃を除去する方法に関するものである。
　［従来の技術］
【０００２】従来、車が数多く通る道路での車の排出塵埃は、空気中に拡散し、周囲の人家に排出塵埃による汚染を生じ、人体に健康上の悪影響を及ぼすままに放置されている。
　［考案が解決しようとする課題］
【０００３】この考案は、車から排出された空気中の塵埃を水シャワーに吸収させて減らそうとするものである。
　［課題を解決するための手段］
【０００４】　この考案を、図面について説明すれば
（イ）フレーム１に支柱２で支えたファン３を設ける。
（ロ）ファン３は、モーター４で回転させる。
（ハ）ファン３の後方上部に水シャワーパイプ６を複数本並べる。
（ニ）水シャワー７が、ファン３で送られた空気（排出塵埃を含む）５に含まれる塵埃を洗い流すように、水シャワーパイプ６の下側には小さい穴を多数設ける。
（ホ）勢いよく噴出した水シャワー７は、傾斜をつけて設置した下部の排水とゆ８で回収し、重力で貯水槽９に流れるようにする。
（ヘ）貯水槽９に溜まった水は、水ポンプ１０で水配管１１と水分配器１２を通して水シャワーパイプ６に送り、再び水シャワー７にする。
［考案の実施の形態］
【０００５】以上の構成であるから、空気中の塵埃はファン３で送られて水シャワー７を通る時、水シャワー７に吸収され排水とゆ８を流れて、貯水槽９に集まる。
［考案の効果］
【０００６】したがって、空気（排出塵埃を含む）５の中の麈埃はかなりの割合で水シャワー７に吸収され、浄化した空気５’として大気に放出できる。
【図面の簡単な説明】
【図１】この考案の斜視図である。
【図２】図１の断面Ａ−Ａである。
【図３】図１の断面Ｃ−Ｃである。
【図４】図１の断面Ｂ−Ｂである。
【符号の説明】
１はフレーム、２は支柱、３はファン、４はモーター、４’は軸受け箱５は空気、６は水シャワーパイプ、７は水シャワー、８は排水とゆ、９は貯水槽、１０は水ポンプ、１１は水配管、１２は水分配器、１３は金網、１４は仕切り板。
【図１】
0003099888.tif 000003
【図２】
0003099888.tif 000004
【図３】
0003099888.tif 000005
【図４】
0003099888.tif 000006
(57)【要約】
【目的】　信号機の赤・黄・青の点灯に連動して、同色の電灯群を点灯し、且つこれによって停止線を構成する。
【構成】　赤電灯（１）、黄電灯（２）、青電灯（３）を交互に整列収容した横長ボックス体（４）とすると共に、その点灯を信号機（Ｃ）の赤・黄・青と同色の電灯群が点灯するように配線し、且つ停止線位置に埋設してなる。
【選択図】　　図１
0003099670.tif 000002
【実用新案登録請求の範囲】
【請求項１】
　赤電灯（１）と黄電灯（２）と青電灯（３）を、交互に整列して収容した横長ボックス体（４）とし、その各配線を信号機（Ｃ）の有する赤信号（Ｄ）と黄信号（Ｅ）と青信号（Ｆ）に直列に接続してなる発光停止線。
【考案の詳細な説明】
【考案の詳細な説明】
【技術分野】
【０００１】　本考案は、車道における停止線に関する。
【背景技術】
【０００２】　従来、車道には横断歩道の直前に停止線が設けられている。またこの停止線は、白色塗料によって塗装されている。
【考案が解決しようとする課題】
【０００３】　車道を走行する自動車は、赤信号の際にはこの停止線の直前で一旦停止しなければならない。
【０００４】　ところが、運転者はこの停止線を往々にして見落とすことがある。特に、濃霧の時や夜間においてしばしば起こる。
　これは交通違反であることはもとより、横断歩道を渡る人に危険と恐怖を与えることになる。最悪の場合は人身事故につながりかねない。
【課題を解決するための手段】
【０００５】　そこで本考案は、上述の停止線を単なる白色塗装ではなく、そのライン中央に埋設された多数の電灯に通電することによって照明できるものである。
　しかも、該電灯は赤・黄・青の三色を交互に整列配備し、且つ交差点の信号に連動して一色のみを点灯照明するものである。即ち、赤信号の時は赤電灯、黄信号の時は黄電灯、青信号の時は青電灯が選択的に点灯照明される。
　従って、運転者はいかなる悪条件下においても停止線を見落とすことがない。しかも、前方の信号機と同色の点灯照明がなされるので、その注意力が倍加され事故防止と安全運転につながる。
【考案の実施の形態・実施例】
【０００６】　前記停止線（Ａ）の位置に埋設可能な、赤電灯（１）・黄電灯（２）・青電灯（３）を交互に整列収容した横長ボックス体（４）とし、その上部のみを耐圧透明板（５）としてある。
【０００７】　該ボックス体（４）を停止線（Ａ）の位置に埋設し、その配電線（６）を信号配電盤（Ｂ）を介して信号機（Ｃ）へ配線する。
　この時、信号機（Ｃ）が赤信号（Ｄ）の際は、赤電灯（１）が点灯し、黄信号（Ｅ）の際は黄電灯（２）が点灯し、青信号（Ｆ）の際は青電灯（３）が点灯するように配線される。
【０００８】　図２に示すように、電源（Ｙ）からの送電は信号配電盤（Ｂ）によってタイマー制御され、信号機（Ｃ）の赤信号（Ｄ）と黄信号（Ｅ）と青信号（Ｆ）を間欠的に点灯するので、該ボックス体（４）内の各色電灯（１）・（２）・（３）も連動して点灯する。
　例えば、配電盤（Ｂ）から赤信号（Ｄ）へ送電された電力は、赤電灯（１）群へ直列に送電されて点灯する。即ち、赤信号（Ｄ）の際は赤電灯（１）群のみが点灯して赤い停止線を構成する。黄信号や青信号の場合も同様に、黄ライン・青ラインを構成する。
　従って運転者は、いやがうえにも注意力を喚起され、事故防止と交通安全に資することができる。
　なお、前記電灯には豆ランプ、蛍光ランプ、発光ダイオード等を適宜に選択して使用できる。
【考案の効果】
【０００９】　単なる白色停止線ではなく、信号機の赤・黄・青の点灯に連動して停止線も同じ色で点灯するので、運転者の注意力を極力喚起するすることはもとより、歩行者の安全歩行も促すことができる有益考案を提供するものである。
【図面の簡単な説明】
【図１】　　本考案の実施状態を示す概略図
【図２】　　本考案の配線図
【図３】　　本考案の実施状態を示す参考図
【符号の説明】
　　　　　１　　　赤電灯
　　　　　２　　　黄電灯
　　　　　３　　　青電灯
　　　　　４　　　横長ボックス体
　　　　　５　　　耐圧透明板
　　　　　６　　　配電線
　　　　　Ａ　　　停止線
　　　　　Ｂ　　　配電盤
　　　　　Ｃ　　　信号機
　　　　　Ｄ　　　赤信号
　　　　　Ｅ　　　黄信号
　　　　　Ｆ　　　青信号
　　　　　Ｙ　　　電源
【図１】
0003099670.tif 000003
【図２】
0003099670.tif 000004
【図３】
0003099670.tif 000005